(57)【要約】      （修正有）【課題】人工透析後の透析排水を処理して下水に流せるようにする透析排水の処理方法を提供する。【解決手段】人工透析後の透析排水を必要に応じてｐＨ６〜８程度まで中和処理する工程と、中和処理水を生物処理槽１０内においてバクテリアと接触させる生物処理する工程とを有しており、前記生物処理する工程が、前記生物処理槽１０内に浸漬した中空糸膜束２１が取付けられている中空糸膜で濾過処理する工程である、透析排水の処理方法。【選択図】図２
2008161753.tif 000002
【特許請求の範囲】
【請求項１】
人工透析後の透析排水を必要に応じて中和処理する工程と、前記透析排水を生物処理槽にて生物処理する工程とを有しており、前記生物処理工程が、前記生物処理槽内に浸漬した中空糸膜で濾過処理する工程である、透析排水の処理方法。
【請求項２】
前記中空糸膜がポリスルホン系ポリマーからなるものである、請求項１記載の透析排水の処理方法。
【請求項３】
前記中空糸膜が生物処理槽内において鉛直方向に配置されている、請求項１又は２記載の透析排水の処理方法。
【請求項４】
前記中空糸膜による濾過処理と、前記中空糸膜の逆圧洗浄を繰り返し行う、請求項１〜３のいずれかに記載の透析排水の処理方法。
【請求項５】
前記生物処理槽が地上に設置されている、請求項１〜４のいずれかに記載の透析排水の処理方法。
【発明の詳細な説明】
【技術分野】
【０００１】
本発明は、病院にて行われる透析液を用いた人工透析後の透析排水を処理し、処理水の下水への排水、河川への放流、土壌への散水ができるようにする、透析排水の処理方法に関する。
【背景技術】
【０００２】
人工透析で使用する透析液には、塩化ナトリウム、塩化カリウム、塩化カルシウム、塩化マグネシウム、酢酸ナトリウム、炭酸水素ナトリウム等と共にブドウ糖が含有されている。そして、透析排水には、透析後の透析液の他に透析機器の洗浄剤として使用される酢酸や次亜塩素酸ナトリウムも含まれる。一般的には、透析排水は、浄化槽に代表される中和処理や生物処理により、処理されている。
【特許文献１】特開平５−３８４９５号公報
【特許文献２】特公平８−２４９１２号公報
【発明の開示】
【発明が解決しようとする課題】
【０００３】
本発明は、透析排水が下水の排水基準値を満たすようにするための処理方法を提供することを課題とする。
【課題を解決するための手段】
【０００４】
請求項１の発明は、課題の解決手段として、人工透析後の透析排水を必要に応じて中和処理する工程と、前記透析排水を生物処理槽にて生物処理する工程とを有しており、前記生物処理工程が、前記生物処理槽内に浸漬した中空糸膜で濾過処理する工程である、透析排水の処理方法を提供する。
【発明の効果】
【０００５】
本発明の処理方法を適用することにより、処理水を高度に浄化することができるようになるため、処理水の下水への排水、河川への放流、土壌への散水ができるようになる。
【発明を実施するための最良の形態】
【０００６】
〔中和処理工程〕
人工透析器は、次亜塩素酸ナトリウムと酢酸を用いて洗浄する場合があるため、透析排水が酸性を呈する場合がある。このような場合には、水酸化ナトリウム、水酸化カリウム等のアルカリを使用して、ｐＨ６〜８程度まで中和処理する。なお、透析排水がアルカリ性を呈しているような場合には、酸で中和処理する。
【０００７】
〔生物処理工程〕
生物処理は、既設の下水処理場等で多用されている浄化法であり、生物処理槽内において、原水（或いは中和処理した原水）とバクテリアを接触させる。本発明では、生物処理槽内に中空糸膜を浸漬して、生物処理と平行して或いは生物処理後の処理水を濾過処理する。なお、生物処理槽は、地上に設置されていもよいし、地中に埋設されていてもよいが、地上に設置されている方が好ましい。
【０００８】
中空糸膜は、多数本を一纏めにした中空糸膜束の形態で使用され、一端側又は両端側から集水するものを用いる。中空糸膜は、ＭＦ膜又は中空の組紐表面に多孔質層が形成された繊維強化型膜であることが好ましい。図１、図２に、中空糸膜を用いた生物処理工程の一実施形態を示す。図１は、生物処理槽の正面図であり、図２は、図１の右側面図である。
【０００９】
生物処理槽１０は、図２に示すとおり、仕切板１５により、２室（生物処理部１０ａと膜濾過部１０ｂ）に分かれており、２室は、仕切板１５の上方と下方にて連通されている。
【００１０】
生物処理槽１０の底部には、生物処理の曝気及び中空糸膜の洗浄に用いる散気筒１１が配置されている。散気筒１１は、連結管１２を介して、給気管１３に接続されている。給気管１３の端部開口部は、空気源に開放されている。
【００１１】
図２に示すように、空気源からの空気は、４つに枝分かれした給気管１３を通って各散気筒１１に達し、生物処理部１０ａ及び膜濾過部１０ｂにおいて散気される。また、各給気管１３には、給気量を個別に調整するための流量調整バルブを設けることもできる。また、給気管１３と集水管２０は、各々独立した流路であり、連通はしていない。
【００１２】
生物処理槽１０内には、開口部近くに固定された集水管２０から、所要本数の中空糸膜束２１が鉛直方向に吊り下げられている。図１、図２の例では、１つの集水管に３つずつの中空糸膜束２１が取り付けられており、全体で６束が使用されている。中空糸膜束２１は、上端側が上部集水キャップ２２に固定され、他端側が下部固定キャップ２３に固定されている。上部集水キャップ２２は、着脱自在のアダプター２４を介して、集水管２０に接続されている。
【００１３】
生物処理槽１０内に原水（或いは中和処理した原水）を満たした状態にて、生物処理をしながら又は生物処理後に中空糸膜束を浸漬して、濾過処理する。
【００１４】
濾過運転条件としては、濾過処理及び逆圧洗浄処理（必要により、薬液を使用する）を繰り返し行うことが好ましい（例えば、濾過９分及び逆圧洗浄１分）。中空糸膜に対する吸引圧は数kPa程度が好ましい。濾過処理や逆圧洗浄処理中には、散気筒１１により、中空糸膜束２１の下方から空気等の気体をバブリングすることができる。
【００１５】
中空糸膜で濾過された濾過水は、上部集水キャップ２２を経て集水管２０に流入し、排水される。
【実施例】
【００１６】
実施例１
（人工透析排水）
塩化ナトリウム、塩化カリウム、塩化カルシウム、塩化マグネシウム、酢酸ナトリウム、炭酸水素ナトリウム、氷酢酸、ブドウ糖、尿素及びリン酸二水素ナトリウムからなる人工透析排水（ＢＯＤ濃度１，０００ｍｇ／Ｌ）を調製した。
【００１７】
（膜エレメント）
ポリエーテルスルホン２２質量％、Ｎ−メチルピロリドン５２質量％、ポリビニルピロリドン９質量％、シリカ２質量％からなる製膜ドープを、中空状のテトロンスリーブ表面に塗布し、凝固浴中で凝固させることで、外径２．０ｍｍ、内径０．９ｍｍ、純水透過速度１５００Ｌ／ｍ２／ｈ（１００kPa）の中空糸膜を得た。この中空糸膜３６０本を用いて、有効長さ４８０ｍｍの膜エレメントを作製した。１本の膜エレメントの有効膜面積は１ｍ２であった。
【００１８】
（処理装置）
排水貯留タンク、生物反応タンク及び処理水タンクからなる排水処理装置を用いた。排水貯留タンクには、硫酸又は水酸化ナトリウムが自動投入されるｐＨ調整計が設置されており、排水（人工透析排水）のｐＨを常時６〜８に維持した。生物反応タンク（容量１００Ｌ）内には、活性汚泥液（ＭＬＳＳ濃度８０００ｍｇ／Ｌ）を満たし、２本の膜エレメントを浸漬配置した。
【００１９】
（濾過運転）
排水処理タンクから生物反応タンクに人工透析排水を連続的に供給しながら、生物反応と膜による固液分離操作により、連続処理した（設定処理量は４２Ｌ／ｈ）。膜下方からの空気量は５０Ｌ／分に設定した。濾過時間９分、有効塩素濃度１０ｍｇ／Ｌの次亜塩素酸ナトリウム水溶液による逆圧洗浄を１分（８４Ｌ／ｈ）で、これを繰り返した。
【００２０】
また、１日に１度、１時間の割合で、人工透析排水の供給を停止し、代わりに有効塩素濃度８０ｍｇ／Ｌの次亜塩素酸ナトリウム水溶液を供給した。更に、１週間に１度、１時間の割合で、人工透析排水の供給を停止し、代わりに２％酢酸水溶液を供給した。
【００２１】
以上の濾過運転条件にて１ヶ月の連続運転をしたが、差圧上昇は見られず、濾過液のＢＯＤ濃度は１０ｍｇ／前後で安定していた。
【図面の簡単な説明】
【００２２】
【図１】生物処理工程で使用する装置の概略断面図。
【図２】図１の右側面図。
【符号の説明】
【００２３】
１０  生物処理槽
１０ａ  生物処理部
１０ｂ  膜処理部
１１  散気筒、
１３  給気管
１５  仕切板
２０  集水管
２１  中空糸膜束
【図１】
2008161753.tif 000003
【図２】
2008161753.tif 000004